(57)【要約】【課題】必要性に応じて個別の機能のオン／オフを切り替える放送受信装置を提供する。【解決手段】放送受信装置は、選局対象となるチャンネルを切り替えて放送信号を受信する第１の受信手段と、それぞれ設定されたチャンネルの放送信号を受信する複数の第２の受信手段と、前記第１の受信手段で受信した放送信号に基づいて映像を表示制御する第１の制御手段と、前記複数の第２の受信手段の全てについて動作を駆動制御すると共に前記複数の第２の受信手段で受信した放送信号に基づいて録画制御する第１のモード、または、前記複数の第２の受信手段のうち１つ以上の動作を停止制御すると共に前記複数の第２の受信手段のうち残りで受信した放送信号に基づいて録画制御する第２のモードに切り替える第２の制御手段とを有する。【選択図】    図１
2011055154.tif 000002
【特許請求の範囲】
【請求項１】
選局対象となるチャンネルを切り替えて放送信号を受信する第１の受信手段と、
それぞれ設定されたチャンネルの放送信号を受信する複数の第２の受信手段と、
前記第１の受信手段で受信した放送信号に基づいて映像を表示制御する第１の制御手段と、
前記複数の第２の受信手段の全てについて動作を駆動制御すると共に前記複数の第２の受信手段で受信した放送信号に基づいて録画制御する第１のモード、または、前記複数の第２の受信手段のうち１つ以上の動作を停止制御すると共に前記複数の第２の受信手段のうち残りで受信した放送信号に基づいて録画制御する第２のモードに切り替える第２の制御手段と、
を有することを特徴とする放送受信装置。
【請求項２】
前記第２の制御手段は、前記複数の第２の受信手段のいずれかに対する停止指令の入力に基づいて、前記複数の第２の受信手段のうち該当するものの動作を停止制御することを特徴とする請求項１記載の放送受信装置。
【請求項３】
前記第２の制御手段は、初期設定時に選局対象となるチャンネルの放送信号を検出し、前記複数の第２の受信手段それぞれで受信する放送信号のチャンネルを割り当てることを特徴とする請求項１記載の放送受信装置。
【請求項４】
前記第２の制御手段は、前記複数の第２の受信手段のうちチャンネルが設定されていないものの動作を停止制御することを特徴とする請求項３記載の放送受信装置。
【請求項５】
前記第２の制御手段は、前記複数の第２の受信手段に対するチャンネルの設定入力に基づいて、前記複数の第２の受信手段で受信する放送信号のチャンネルを設定することを特徴とする請求項１記載の放送受信装置。
【請求項６】
前記複数の第２の受信手段で受信した放送信号に基づく映像を記録する記録手段を有することを特徴とする請求項１記載の放送受信装置。
【請求項７】
前記第２の制御手段は、前記複数の第２の受信手段のうち動作を停止制御されたものと対応付けられた前記記録手段の動作も停止制御することを特徴とする請求項６記載の放送受信装置。
【請求項８】
前記第１の制御手段は、前記第２の制御手段の停止指令の入力に基づいて、前記第２の制御手段、前記複数の第２の受信手段、前記記録手段の動作を停止制御することを特徴とする請求項６記載の放送受信装置。
【請求項９】
前記第１の受信手段で受信した放送信号に基づく映像を表示する表示手段を有することを特徴とする請求項１記載の放送受信装置。
【請求項１０】
第１の受信手段で選局対象となるチャンネルを切り替えて放送信号を受信し、
前記第１の受信手段で受信した放送信号に基づいて映像を表示制御し、
それぞれ設定されたチャンネルの放送信号を受信する複数の第２の受信手段の全てについて動作を駆動制御すると共に前記複数の第２の受信手段で受信した放送信号に基づいて録画制御する第１のモード、または、前記複数の第２の受信手段のうち１つ以上の動作を停止制御すると共に前記複数の第２の受信手段のうち残りで受信した放送信号に基づいて録画制御する第２のモードに切り替える、
ことを特徴とする録画制御方法。
【発明の詳細な説明】
【技術分野】
【０００１】
この発明は、複数のチューナを有する放送受信装置における省電力化技術に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
デジタルテレビジョン放送受信装置は、複数のデジタル放送チューナを搭載したモデルも登場している。このようなデジタルテレビジョン放送受信装置は、視聴番組を表示しつつ裏番組を録画するなど高機能化している。デジタルテレビジョン放送受信装置に搭載されるデジタル放送チューナの数が増加すると、視聴と同時に録画できる番組の数も増加する。
【０００４】
特許文献１には、番組の予約及び予約された番組を記録する際、信号処理回路がテレビジョン受信機からの電源オン信号を検知し、この信号に基づいて各部を制御する制御部に電源回路が電源を供給する記録再生装置の構成について開示されている。
【先行技術文献】
【特許文献】
【０００５】
【特許文献１】特開２００４−３４９７９０号公報
【発明の概要】
【発明が解決しようとする課題】
【０００６】
しかしながら、特許文献１に記載のテレビジョン受信機はチューナを１つしか備えていない。テレビジョン受信機が複数チューナを有する場合、不要なチューナを常時オンしておくと、消費電力、部品寿命等の観点から得策ではない。つまり、ユーザが単に番組を視聴するのみであれば、視聴用のチューナのみが稼動すればよい。ユーザが、番組を視聴すると共に複数の裏番組を録画したい場合、視聴用のチューナに加えて他のチューナも稼動する必要がある。特許文献１には、複数のチューナを備えたテレビジョン受信機において、ユーザの用途に応じて各部の機能のオン／オフを切り替える構成は開示されていない。
【０００７】
そこで、この発明は、必要性に応じて個別の機能のオン／オフを切り替える放送受信装置を提供することを目的とする。
【課題を解決するための手段】
【０００８】
本発明に係る放送受信装置は、選局対象となるチャンネルを切り替えて放送信号を受信する第１の受信手段と、それぞれ設定されたチャンネルの放送信号を受信する複数の第２の受信手段と、前記第１の受信手段で受信した放送信号に基づいて映像を表示制御する第１の制御手段と、前記複数の第２の受信手段の全てについて動作を駆動制御すると共に前記複数の第２の受信手段で受信した放送信号に基づいて録画制御する第１のモード、または、前記複数の第２の受信手段のうち１つ以上の動作を停止制御すると共に前記複数の第２の受信手段のうち残りで受信した放送信号に基づいて録画制御する第２のモードに切り替える第２の制御手段とを有する。
【発明の効果】
【０００９】
上記した発明によれば、必要性に応じて個別の機能のオン／オフを切り替えるため、消費電力を低減する放送受信装置を提供できる。
【図面の簡単な説明】
【００１０】
【図１】本実施形態に係るデジタルテレビジョン放送受信装置の概略構成を示すブロック図。
【図２】本実施形態に係るデジタルテレビジョン放送受信装置に用いられるリモートコントローラの外観図。
【図３】本実施形態に係るデジタルテレビジョン放送受信装置の機能を設定する画面図。
【発明を実施するための最良の形態】
【００１１】
以下、図面を参照し、実施形態について説明する。図１は、本実施形態に係るデジタルテレビジョン放送受信装置１００の概略構成を示すブロック図である。すなわち、ＢＳ／ＣＳデジタル放送受信用のアンテナ４７で受信した衛星デジタルテレビジョン放送信号は、入力端子４８を介して衛星デジタル放送チューナ４９に供給される。衛星デジタル放送チューナ４９は、所望のチャンネルの放送信号を選局する。
【００１２】
そして、衛星デジタル放送チューナ４９で選局された放送信号は、ＰＳＫ（phase shift keying）復調モジュール５０に供給されて、デジタルの映像信号及び音声信号に復調された後、信号処理モジュール５１に出力される。
【００１３】
また、地上波放送受信用のアンテナ５２で受信した地上デジタルテレビジョン放送信号は、入力端子５３を介して視聴用地上デジタル放送チューナ５４に供給される。視聴用地上デジタル放送チューナ５４は、所望のチャンネルの放送信号を選局する。視聴用地上デジタル放送チューナ５４で選局された放送信号は、ＯＦＤＭ（orthogonal frequency division multiplexing）復調モジュール５５に供給されて、デジタルの映像信号及び音声信号に復調された後、上記信号処理モジュール５１に出力される。
【００１４】
第１の録画用地上デジタル放送チューナ５６で選局された放送信号は、ＯＦＤＭ復調モジュール５７に供給されて、デジタルの映像信号及び音声信号に復調された後、高機能制御モジュール３０に出力される。同様に、第２の録画用地上デジタル放送チューナ５８で選局された放送信号は、ＯＦＤＭ復調モジュール５９に供給されて、デジタルの映像信号及び音声信号に復調された後、高機能制御モジュール３０に出力される。第３の録画用地上デジタル放送チューナ５８で選局された放送信号は、ＯＦＤＭ復調モジュール６０に供給されて、デジタルの映像信号及び音声信号に復調された後、高機能制御モジュール３０に出力される。
【００１５】
なお、デジタルテレビジョン放送受信装置１００は、視聴用の地上デジタル放送チューナ５４、第１の録画用地上デジタル放送チューナ５６、第２の録画用地上デジタル放送チューナ５８、第３の録画用地上デジタル放送チューナ５８を備えることにより、最大４チャンネルの地上デジタル放送信号を同時に選局することができる。本実施形態では、デジタルテレビジョン放送受信装置１００が、地上デジタル放送チューナを４つ備えるケースについて説明するが、地上デジタル放送チューナを３つ以下または５つ以上備える構成としてもよい。
【００１６】
上記信号処理モジュール５１は、ＰＳＫ復調モジュール５０、ＯＦＤＭ復調モジュール５５からそれぞれ供給されたデジタルの映像信号及び音声信号に対して、選択的に所定のデジタル信号処理を施し、グラフィック処理モジュール５８及び音声処理モジュール６３に出力している。
【００１７】
また、上記信号処理モジュール５１には、複数（図示の場合は４つ）の入力端子６４ａ，６４ｂ，６４ｃ，６４ｄが接続されている。これら入力端子６４ａ〜６４ｄは、それぞれ、アナログの映像信号及び音声信号を、デジタルテレビジョン放送受信装置１００の外部から入力可能とするものである。
【００１８】
この信号処理モジュール５１は、各入力端子６４ａ〜６４ｄからそれぞれ供給されたアナログの映像信号及び音声信号を選択的にデジタル化し、そのデジタル化された映像信号及び音声信号に対して所定のデジタル信号処理を施した後、グラフィック処理モジュール６２及び音声処理モジュール６３に出力している。
【００１９】
このうち、グラフィック処理モジュール６２は、信号処理モジュール５１から供給されるデジタルの映像信号に、ＯＳＤ（on screen display）信号生成モジュール６５で生成されるＯＳＤ信号を重畳して出力する機能を有する。このグラフィック処理モジュール６２は、信号処理モジュール５１の出力映像信号と、ＯＳＤ信号生成モジュール６５の出力ＯＳＤ信号とを選択的に出力すること、また、両出力をそれぞれ画面の半分を構成するように組み合わせて出力することができる。
【００２０】
グラフィック処理モジュール６２から出力されたデジタルの映像信号は、映像処理モジュール６６に供給される。映像処理モジュール６６により処理された映像信号は、映像表示器１４に供給され、また出力端子６７にも供給される。映像表示器１４は、映像信号に基づく映像を表示し、出力端子６７に対して外部機器が接続されると、出力端子６７に供給された映像信号は、外部機器へ入力される。
【００２１】
また、上記音声処理モジュール６３は、入力されたデジタルの音声信号を、前記スピーカ１５で再生可能なフォーマットのアナログ音声信号に変換した後、スピーカ１５に出力して音声再生させるとともに、出力端子６８を介して外部に導出させる。
【００２２】
ここで、このデジタルテレビジョン受像機１００は、上記した各種の受信動作を含むその全ての動作を制御モジュール６９によって統括的に制御されている。この制御モジュール６９は、ＣＰＵ（central processing unit）等を内蔵しており、前記操作モジュール１６からの操作情報、または、リモートコントローラ１７から送出され受光モジュール１８を介して受信した操作情報を受けて、その操作内容が反映されるように各モジュールをそれぞれ制御している。リモートコントローラ１７は、図２に示すようにカーソルキー（十字キー）１７ａ、決定キー１７ｂ、選局キー１７ｃを有する。
【００２３】
制御モジュール６９は、主として、そのＣＰＵが実行する制御プログラムを格納したＲＯＭ（read only memory）７０と、該ＣＰＵに作業エリアを提供するＲＡＭ（random access memory）７１と、各種の設定情報及び制御情報等が格納される不揮発性メモリ７２とを利用している。
【００２４】
また、上記制御モジュール６９は、通信Ｉ／Ｆ８０を介してＬＡＮ端子２４と接続されている。これにより、制御モジュール６９は、通信Ｉ／Ｆ８０を介して、例えばインターネット等のネットワークから情報を取得できる。
【００２５】
高機能制御モジュール３０は、信号処理モジュール５１と同様に、ＯＦＤＭ復調モジュール５７、ＯＦＤＭ復調モジュール５９、ＯＦＤＭ復調モジュール６１からそれぞれ供給されたデジタルの映像信号及び音声信号に対して、選択的に所定のデジタル信号処理を施す。
【００２６】
高機能制御モジュール３０には、第１の内蔵ＨＤＤ（hard disk drive）９０、第２の内蔵ＨＤＤ９１、第３の内蔵ＨＤＤ９２が接続されている。第１の内蔵ＨＤＤ９０、第２の内蔵ＨＤＤ９１、第３の内蔵ＨＤＤ９２は、映像信号及び音声信号を記録する。本実施形態では、デジタルテレビジョン放送受信装置１００が、内蔵ＨＤＤを３つ備えるケースについて説明するが、内蔵ＨＤＤを２つ以下または４つ以上備える構成としてもよい。
【００２７】
高機能制御モジュール３０は、第１の録画用地上デジタル放送チューナ５６、ＯＦＤＭ復調モジュール５７、第２の録画用地上デジタル放送チューナ５８、ＯＦＤＭ復調モジュール５９、第３の録画用地上デジタル放送チューナ６０、ＯＦＤＭ復調モジュール６１及び第１の内蔵ＨＤＤ９０、第２の内蔵ＨＤＤ９１、第３の内蔵ＨＤＤ９２それぞれの電源のオン／オフを制御する。制御モジュール６９は、高機能制御モジュール３０の電源のオン／オフを制御する。
【００２８】
本実施形態では、視聴用地上デジタル放送チューナ５４は、ユーザがリモートコントローラ１７の選局キー１７ｃを用いて視聴したいチャンネルを選択した場合、対応するチャンネルに切り替えて放送信号を選局する。映像表示器１４は、その放送信号に基づいて番組の映像を表示する。
【００２９】
第１の録画用地上デジタル放送チューナ５６、第２の録画用地上デジタル放送チューナ５８、第３の録画用地上デジタル放送チューナ６０は、例えば、以下に示す放送局のチャンネルの放送信号を常に選局する。
【００３０】
第１の録画用地上デジタル放送チューナ５６は、放送局Ａのチャンネルの放送信号を常に選局する。第２の録画用地上デジタル放送チューナ５８は、放送局Ｂのチャンネルの放送信号を常に選局する。第３の録画用地上デジタル放送チューナ６０は、放送局Ｃのチャンネルの放送信号を常に選局する。
【００３１】
高機能制御モジュール３０は、デジタルテレビジョン放送受信装置１００の初期設定がリモートコントローラ１７で入力されると、第１の録画用地上デジタル放送チューナ５６、第２の録画用地上デジタル放送チューナ５８、第３の録画用地上デジタル放送チューナ６０で選局する放送信号のチャンネルを設定する。例えば、デジタルテレビジョン放送受信装置１００が使用されるエリアで、選局対象となるチャンネル数がデジタルテレビジョン放送受信装置１００に設けられている録画用地上デジタル放送チューナの数より多い場合、高機能制御モジュール３０は、チャンネル番号の小さい順に第１の録画用地上デジタル放送チューナ５６、第２の録画用地上デジタル放送チューナ５８、第３の録画用地上デジタル放送チューナ６０で選局する放送信号のチャンネルを設定するようにすればよい。
【００３２】
これ以外にも、ユーザは、リモートコントローラ１７を用いてチャンネルと第１の録画用地上デジタル放送チューナ５６、第２の録画用地上デジタル放送チューナ５８、第３の録画用地上デジタル放送チューナ６０の関係を設定できる。高機能制御モジュール３０は、第１の録画用地上デジタル放送チューナ５６、第２の録画用地上デジタル放送チューナ５８、第３の録画用地上デジタル放送チューナ６０で選局する各放送信号を視聴頻度が高いチャンネル順に所定期間毎に適宜変更して設定するようにしてもよい。
【００３３】
ここで、第１の内蔵ＨＤＤ９０は、第１の録画用地上デジタル放送チューナ５６で選局した放送信号に基づく映像信号及び音声信号を記録する。同様に、第２の内蔵ＨＤＤ９１は、第２の録画用地上デジタル放送チューナ５８で選局した放送信号に基づく映像信号及び音声信号を記録する。第３の内蔵ＨＤＤ９２は、第３の録画用地上デジタル放送チューナ６０で選局した放送信号に基づく映像信号及び音声信号を記録する。
【００３４】
本実施形態では、第１の内蔵ＨＤＤ９０と第１の録画用地上デジタル放送チューナ５６のように１対１で対応付けられている。これ以外にも、第１の内蔵ＨＤＤ９０が第１の録画用地上デジタル放送チューナ５６、第２の録画用地上デジタル放送チューナ５８、第３の録画用地上デジタル放送チューナ６０で選局した放送信号に基づく映像信号及び音声信号をすべて記録するようにしてもよい。
【００３５】
第１の内蔵ＨＤＤ９０は、第１の録画用地上デジタル放送チューナ５６で選局するチャンネルの放送信号に基づく映像信号及び音声信号を記録するように予め決められている。第２の内蔵ＨＤＤ９１、第３の内蔵ＨＤＤ９２についても同様である。これ以外にも、ユーザは、リモートコントローラ１７を用いて、第１の内蔵ＨＤＤ９０、第２の内蔵ＨＤＤ９１、第３の内蔵ＨＤＤ９２と第１の録画用地上デジタル放送チューナ５６、第２の録画用地上デジタル放送チューナ５８、第３の録画用地上デジタル放送チューナ６０の関係を設定できる。制御モジュール６９はチャンネルごとに第１の内蔵ＨＤＤ９０、第２の内蔵ＨＤＤ９１、第３の内蔵ＨＤＤ９２を割り当てて設定してもよい。
【００３６】
後述する電源制御を受けない限り基本的には、第１の内蔵ＨＤＤ９０は、放送局Ａのチャンネルの番組を記録し続ける。同様に、第２の内蔵ＨＤＤ９１は、放送局Ｂのチャンネルの番組を記録し続ける。第３の内蔵ＨＤＤ９２は、放送局Ｃのチャンネルの番組を記録し続ける。
【００３７】
図３は、高機能制御モジュール３０による機能のオン／オフ制御対象を設定する設定画面である。制御モジュール６９は、リモートコントローラ１７による入力に基づいて、図３に示す画面を映像表示器１４に表示制御する。図３は一例であり、オン／オフ制御対象となる機能はこれに限られない。
【００３８】
ユーザは、この設定画面上でカーソルキー１７ａおよび決定キー１７ｂを用いて、各機能についてオン／オフを設定できる。オン／オフ制御対象となる機能としては、マルチチャンネル同時自動録画及び再生機能、マルチチャンネル同時視聴機能、ユーザ予約による録画及び再生機能、高画質化機能、ＩＰＴＶ機能、ブラウザ機能である。
【００３９】
マルチチャンネル同時自動録画機能は、上記説明したように、高機能制御モジュール３０が初期設定時に設定した第１の録画用地上デジタル放送チューナ５６、第２の録画用地上デジタル放送チューナ５８、第３の録画用地上デジタル放送チューナ６０で選局する放送信号のチャンネル全てについて第１の内蔵ＨＤＤ９０、第２の内蔵ＨＤＤ９１、第３の内蔵ＨＤＤ９２に映像信号及び音声信号を同時に記録し続ける機能である。同様に、マルチチャンネル同時自動再生機能は、第１の内蔵ＨＤＤ９０、第２の内蔵ＨＤＤ９１、第３の内蔵ＨＤＤ９２から映像信号及び音声信号を読み出して複数同時に再生可能とする機能である。
【００４０】
この機能がオンの場合、高機能制御モジュール３０は、第１の録画用地上デジタル放送チューナ５６、対応するＯＦＤＭ復調モジュール５７及び第１の内蔵ＨＤＤ９０、第２の録画用地上デジタル放送チューナ５８、対応するＯＦＤＭ復調モジュール５９及び第２の内蔵ＨＤＤ９１、第３の録画用地上デジタル放送チューナ６０、対応するＯＦＤＭ復調モジュール６１及び第３の内蔵ＨＤＤ９２を電源オンする。
【００４１】
一方、この機能がオフの場合、高機能制御モジュール３０は、第１の録画用地上デジタル放送チューナ５６、対応するＯＦＤＭ復調モジュール５７及び第１の内蔵ＨＤＤ９０、第２の録画用地上デジタル放送チューナ５８、対応するＯＦＤＭ復調モジュール５９及び第２の内蔵ＨＤＤ９１、第３の録画用地上デジタル放送チューナ６０、対応するＯＦＤＭ復調モジュール６１及び第３の内蔵ＨＤＤ９２を電源オフする。
【００４２】
この機能がオンであれば、ユーザは、煩雑な操作をすることなく、選局対象となるチャンネルについて録画設定することができる。
【００４３】
マルチチャンネル同時視聴機能は、ＥＰＧ（electronic program guide）画面上で、第１の録画用地上デジタル放送チューナ５６、第２の録画用地上デジタル放送チューナ５８、第３の録画用地上デジタル放送チューナ６０で選局した放送信号に基づく映像を番組情報と共にチャンネルごとに表示する機能である。ＥＰＧ画面以外に、映像表示器１４を分割多画面にして複数チャンネルの映像を表示する機能であってもよい。
【００４４】
この機能がオンの場合とオフの場合における高機能制御モジュール３０の電源オンオフ制御は、上記説明したマルチチャンネル同時自動録画及び再生機能におけるオンの場合とオフの場合とそれぞれ同様である。なお、内蔵ＨＤＤ９０，９１，９２をオフすることもできる。
【００４５】
ユーザ予約による予約録画機能は、ユーザがリモートコントローラ１７を用いて第１の録画用地上デジタル放送チューナ５６、第２の録画用地上デジタル放送チューナ５８、第３の録画用地上デジタル放送チューナ６０で選局する放送信号のチャンネルを設定する機能である。同様に、ユーザ予約による予約録画再生機能は、第１の内蔵ＨＤＤ９０、第２の内蔵ＨＤＤ９１、第３の内蔵ＨＤＤ９２のうち映像信号及び音声信号を記録動作している内蔵ＨＤＤから映像信号及び音声信号を読み出して再生可能とする機能である。
【００４６】
したがって、ユーザは、第１の録画用地上デジタル放送チューナ５６、第２の録画用地上デジタル放送チューナ５８、第３の録画用地上デジタル放送チューナ６０に対して選局する放送信号のチャンネルを設定しないようにすることもできる。
【００４７】
この機能がオンの場合、高機能制御モジュール３０は、ユーザが第１の録画用地上デジタル放送チューナ５６に放送信号を選局するようにチャンネルを設定した場合、第１の録画用地上デジタル放送チューナ５６、対応するＯＦＤＭ復調モジュール５７及び第１の内蔵ＨＤＤ９０を電源オンする。さらに、高機能制御モジュール３０は、ユーザが第２の録画用地上デジタル放送チューナ５８に放送信号を選局するようにチャンネルを設定していない場合、第２の録画用地上デジタル放送チューナ５８、対応するＯＦＤＭ復調モジュール５９及び第２の内蔵ＨＤＤ９１を電源オフする。
【００４８】
一方、この機能がオフの場合、高機能制御モジュール３０は、マルチチャンネル同時自動録画及び再生機能がオンであればそれに従ってチャンネルを設定する。高機能制御モジュール３０は、マルチチャンネル同時自動録画及び再生機能がオフであれば、初期設定されていないので、第１の録画用地上デジタル放送チューナ５６、対応するＯＦＤＭ復調モジュール５７及び第１の内蔵ＨＤＤ９０、第２の録画用地上デジタル放送チューナ５８、対応するＯＦＤＭ復調モジュール５９及び第２の内蔵ＨＤＤ９１、第３の録画用地上デジタル放送チューナ６０、対応するＯＦＤＭ復調モジュール６１及び第３の内蔵ＨＤＤ９２の全てを電源オフする。
【００４９】
ユーザは、選局対象となるチャンネルのうち録画不用とするチャンネルについては、例えば第１の録画用地上デジタル放送チューナ５６に設定する必要がない。したがって、不必要な第１の録画用地上デジタル放送チューナ５６、対応するＯＦＤＭ復調モジュール５７及び第１の内蔵ＨＤＤ９０は電源オフとなる。
【００５０】
なお、マルチチャンネル同時自動録画および再生機能もしくはマルチチャンネル同時視聴機能と、ユーザ予約による予約録画および再生機能とに、それぞれ何組のチューナおよび復調器を割り当てるかは選択の自由がある。
【００５１】
高画質化機能は、録画する映像信号を高画質化する機能である。この機能がオンの場合、高機能制御モジュール３０は、第１の内蔵ＨＤＤ９０、第２の内蔵ＨＤＤ９１、第３の内蔵ＨＤＤ９２に記録もしくは再生する映像信号の画質を高画質化処理する。さらに、高機能制御モジュール３０は、信号処理モジュール５１に対して、映像表示器１４に表示する映像信号の画質を高画質化処理するように制御する。
【００５２】
この機能がオフの場合、高機能制御モジュール３０は、第１の内蔵ＨＤＤ９０、第２の内蔵ＨＤＤ９１、第３の内蔵ＨＤＤ９２に記録もしくは再生する映像信号の画質を通常処理する。さらに、高機能制御モジュール３０は、映像表示器１４に表示する映像信号に対しても同様である。
【００５３】
ＩＰＴＶ（internet protocol television）機能は、通信Ｉ／Ｆ８０を介してＩＰＴＶを映像表示器１４に表示する機能である。この機能がオンの場合、高機能制御モジュール３０は、ユーザによるリモートコントローラ１７を用いた入力に応じて、ＩＰＴＶの表示制御をする。この機能がオフの場合、高機能制御モジュール３０は、ＩＰＴＶは視聴不可状態に設定する。
【００５４】
ブラウザ機能は、例えば通信Ｉ／Ｆ８０を介してインターネット画面を映像表示器１４に表示する機能である。この機能がオンの場合、高機能制御モジュール３０は、ユーザによるリモートコントローラ１７を用いた入力に応じて、インターネット画面を表示制御する。この機能がオフの場合、高機能制御モジュール３０は、インターネット画面を表示不可状態に設定する。
【００５５】
以上のように、ユーザは、全ての機能を起動するモードと、少なくとも１つの機能を停止するモードを用途に応じて選択できる。デジタルテレビジョン放送受信装置１００において、不要な機能の動作を構成する各部は電源オフとなる。したがって、デジタルテレビジョン放送受信装置１００における省電力化を図れる。
【００５６】
ユーザが上記説明した機能を全て不要と設定した場合、制御モジュール６９は、高機能制御モジュール３０自体も電源オフする。例えば、ユーザが、視聴のみしたい場合である。
【００５７】
この場合、制御モジュール６９および高機能制御モジュール３０は、以下のように動作する。制御モジュール６９は、高機能制御モジュール３０を電源オフすると、ＯＦＤＭ復調モジュール５７、５９、６１からの信号ラインをlow固定して電流漏洩を防止するように制御する。
【００５８】
制御モジュール６９は、高機能制御モジュール３０を電源オフすると、高機能制御モジュール３０に供給されるクロック信号もlow固定する。
【００５９】
制御モジュール６９が高機能制御モジュール３０を電源オフすると、信号処理モジュール５１や制御モジュール６９は、高機能制御モジュール３０からの入力信号を使用しない。
【００６０】
制御モジュール６９が高機能制御モジュール３０を電源オフすると、第１の録画用地上デジタル放送チューナ５６、対応するＯＦＤＭ復調モジュール５７及び第１の内蔵ＨＤＤ９０、第２の録画用地上デジタル放送チューナ５８、対応するＯＦＤＭ復調モジュール５９及び第２の内蔵ＨＤＤ９１、第３の録画用地上デジタル放送チューナ６０、対応するＯＦＤＭ復調モジュール６１及び第３の内蔵ＨＤＤ９２は、高機能制御モジュール３０に連動して電源オフまたはスリープ状態となる。
【００６１】
次に、デジタルテレビジョン放送受信装置１００の初期設定の他の例について説明する。ここでは、デジタルテレビジョン放送受信装置１００が使用されるエリアで、選局対象となるチャンネル数がデジタルテレビジョン放送受信装置１００に設けられている録画用地上デジタル放送チューナの数より少ないとする。デジタルテレビジョン放送受信装置１００は、放送局Ａのチャンネルの放送信号および放送局Ｂのチャンネルの放送信号を受信できるが、放送局Ｃのチャンネルの放送信号を受信できないとする。
【００６２】
高機能制御モジュール３０は、デジタルテレビジョン放送受信装置１００の初期設定時に、第１の録画用地上デジタル放送チューナ５６、第２の録画用地上デジタル放送チューナ５８で選局する放送信号のチャンネルを設定する。第３の録画用地上デジタル放送チューナ６０は選局する放送信号がないため、高機能制御モジュール３０は、第３の録画用地上デジタル放送チューナ６０、対応するＯＦＤＭ復調モジュール６１及び第３の内蔵ＨＤＤ９２を電源オフする。したがって、ユーザは、初期設定で不要な録画用地上デジタル放送チューナに対して逐一電源オフ設定する必要はない。
【００６３】
本実施形態では、高機能制御モジュール３０は、第１の内蔵ＨＤＤ９０、第２の内蔵ＨＤＤ９１、第３の内蔵ＨＤＤ９２に映像信号及び音声信号を記録しているが、ＨＤＭＩ端子、ＵＳＢ端子、ｉ．Ｌｉｎｋ端子等の各種端子に接続された外部機器のＨＤＤであっても同様である。高機能制御モジュール３０は、外部機器のＨＤＤに対してスリープ状態のオン／オフを設定する信号を送信すればよい。
【００６４】
本実施形態は、図１に示すデジタルテレビジョン放送受信装置１００に適用できる旨を説明したが、これに限られない。本実施形態は、図１に示す構成から少なくとも映像表示器１４およびスピーカ１５を除いたセットトップボックス型に対しても適用できる。
【００６５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００６６】
１４…映像表示器、１７…リモートコントローラ、３０…高機能制御モジュール、５４…視聴用地上デジタル放送チューナ、５６…第１の録画用地上デジタル放送チューナ、５８…第２の録画用地上デジタル放送チューナ、６０…第３の録画用地上デジタル放送チューナ、６９…制御モジュール、９０…第１の内蔵ＨＤＤ、９１…第２の内蔵ＨＤＤ、９２…第３の内蔵ＨＤＤ、１００…デジタルテレビジョン放送受信装置。
【図１】
2011055154.tif 000003
【図２】
2011055154.tif 000004
【図３】
2011055154.tif 000005
【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
選局対象となるチャンネルを切り替えて放送信号を受信する第１の受信手段と、
それぞれ設定されたチャンネルの放送信号を受信する複数の第２の受信手段と、
前記第１の受信手段で受信した放送信号に基づいて映像を表示制御する第１の制御手段と、
前記複数の第２の受信手段について動作を駆動制御すると共に前記複数の第２の受信手段で受信した放送信号に基づいて録画制御する第１のモード、または、前記複数の第２の受信手段のうち１つ以上の動作を停止制御すると共に前記複数の第２の受信手段のうち残りで受信した放送信号に基づいて録画制御する第２のモードに切り替える第２の制御手段と、
初期設定時に選局対象となるチャンネル数が前記複数の第２の受信手段の数よりも少ない場合、前記複数の第２の受信手段に前記選局対象となるチャンネルを設定し、前記複数の第２の受信手段のうち前記選局対象となるチャンネルが設定されていないものの動作を停止制御する手段と、
を有することを特徴とする放送受信装置。
【請求項２】
前記第２の制御手段は、前記複数の第２の受信手段のいずれかに対する停止指令の入力に基づいて、前記複数の第２の受信手段のうち該当するものの動作を停止制御することを特徴とする請求項１記載の放送受信装置。
【請求項３】
前記第２の制御手段は、前記複数の第２の受信手段に対するチャンネルの設定入力に基づいて、前記複数の第２の受信手段で受信する放送信号のチャンネルを設定することを特徴とする請求項１記載の放送受信装置。
【請求項４】
前記複数の第２の受信手段で受信した放送信号に基づく映像を記録する記録手段を有することを特徴とする請求項１記載の放送受信装置。
【請求項５】
前記第２の制御手段は、前記複数の第２の受信手段のうち動作を停止制御されたものと対応付けられた前記記録手段の動作も停止制御することを特徴とする請求項４記載の放送受信装置。
【請求項６】
前記第１の制御手段は、前記第２の制御手段の停止指令の入力に基づいて、前記第２の制御手段、前記複数の第２の受信手段、前記記録手段の動作を停止制御することを特徴とする請求項４記載の放送受信装置。
【請求項７】
前記第１の受信手段で受信した放送信号に基づく映像を表示する表示手段を有することを特徴とする請求項１記載の放送受信装置。
【請求項８】
第１の受信手段で選局対象となるチャンネルを切り替えて放送信号を受信し、
前記第１の受信手段で受信した放送信号に基づいて映像を表示制御し、
それぞれ設定されたチャンネルの放送信号を受信する複数の第２の受信手段について動作を駆動制御すると共に前記複数の第２の受信手段で受信した放送信号に基づいて録画制御する第１のモード、または、前記複数の第２の受信手段のうち１つ以上の動作を停止制御すると共に前記複数の第２の受信手段のうち残りで受信した放送信号に基づいて録画制御する第２のモードに切り替え、
初期設定時に選局対象となるチャンネル数が前記複数の第２の受信手段の数よりも少ない場合、前記複数の第２の受信手段に前記選局対象となるチャンネルを設定し、前記複数の第２の受信手段のうち前記選局対象となるチャンネルが設定されていないものの動作を停止制御する、
ことを特徴とする録画制御方法。